【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
リモートビューイング環境におけるリモートビューイングクライアントに通信ネットワークにより接続されるローカル環境におけるローカルビデオ通信クライアントを有するビデオ通信システムを動作させるステップであって、前記ローカルビデオ通信クライアントは、ビデオ捕捉装置とビデオ分析コンポーネントを有するコンピュータとを有する、ステップと、
通信イベントの間に前記ビデオ捕捉装置を使用して前記ローカル環境のビデオ画像を捕捉するステップと、
捕捉されたビデオ画像を前記ビデオ分析コンポーネントにより分析して、前記ローカル環境において進行しているアクティビティを識別するステップと、
前記リモートビューイングクライアントに関連する好みと前記ローカルビデオ通信クライアントとに関連する許可に基づいて、識別されたアクティビティの捕捉されたビデオ画像が受け入れ可能なビデオ画像であるかを判定するステップと、
前記リモートビューイングクライアントが参加しているか又は離脱しているかの示唆を受信するステップと、
前記リモートビューイングクライアントが参加していることの示唆に応答して、進行しているアクティビティの受け入れ可能なビデオ画像を前記リモートビューイングクライアントに送信するステップと、
前記リモートビューイングクライアントが離脱していることの示唆に応答して、前記受け入れ可能なビデオ画像をメモリに記録するステップと、
を含むことを特徴とする方法。
【請求項２】
前記ビデオ画像が受け入れ可能ではないと判定されたとき、前記ビデオ画像は送信又は記録されず、前記メモリから削除される、
請求項１記載の方法。
【請求項３】
前記ビデオ捕捉装置により捕捉された少なくとも１つの静止画像は、前記ビデオ画像が受け入れ可能ではないと判定されたとき、通信イベントの一部の間に前記リモートビューイングクライアントに送信される、
請求項１記載の方法。
【請求項４】
前記リモートビューイングクライアントが動作中であり、リモートビューアが前記リモートビューイング環境に存在し、前記リモートビューアが前記リモートビューイングクライアントを見ていることを前記リモートビューイングクライアントが検出したことに応答して、前記リモートビューイングクライアントからのユーザ入力を受信することなしに、前記リモートビューイングクライアントが参加していることの示唆が前記リモートビューイングクライアントから受信される、
請求項１記載の方法。
【請求項５】
前記リモートビューイングクライアントが動作中ではないこと、又はリモートビューアが前記リモートビューイング環境に存在しないこと、或いは前記リモートビューアが前記リモートビューイングクライアントを見ていないことを前記リモートビューイングクライアントが検出したことに応答して、前記リモートビューイングクライアントからのユーザ入力を受信することなしに、前記リモートビューイングクライアントが離脱していることの示唆が前記リモートビューイングクライアントから受信される、
請求項１記載の方法。
【請求項６】
前の示唆が受信された後に、前記リモートビューイングクライアントのステータスの後続する示唆を参加又は離脱として受信するステップを更に含む、
請求項１記載の方法。
【請求項７】
ビデオの送信又はビデオの記録に関して、前記ビデオ通信クライアントの動作は、参加又は離脱としての前記リモートビューイングクライアントのステータスにおける検出された変化に応答して変化する、
請求項６記載の方法。
【請求項８】
前記識別されたアクティビティの示唆又は前記捕捉されたビデオ画像の判定された受け入れ可能性の示唆は、前記リモートビューイングクライアントに供給される、
請求項１記載の方法。
【請求項９】
前記識別されたアクティビティは、オブジェクトの動き分析から導出された定量的な基準に基づいて分析される、
請求項１記載の方法。
【請求項１０】
前記識別されたアクティビティは、人の存在又はアイデンティティ、動物の存在又はアイデンティティ、アクティビティのタイプ、又は日時を含む意味的な属性に基づいて特徴付けされる、
請求項１記載の方法。
【請求項１１】
前記ビデオ画像のコンテンツの受け入れ可能性は、人、動物の存在、又は画像のコンテンツにおける所定のアクティビティに関連する基準を使用して決定される、
請求項１記載の方法。
【請求項１２】
利用可能なビデオ画像のコンテンツの受け入れ可能性は、確率値により特徴付けされる、
請求項１記載の方法。
【請求項１３】
ビデオ画像が捕捉されている間に、更新された確率値が決定され、
前記ビデオ通信クライアントの挙動は、前記確率値の変化に応答して変化する、
請求項１２記載の方法。
【請求項１４】
前記ビデオ通信クライアントの挙動は、捕捉されたビデオ画像が前記リモートビューイングクライアントに送信されるか、又は後の送信のために記録されるか、又は前記メモリから削除されるかを変えることで変化する、
請求項１３記載の方法。
【請求項１５】
前記ビデオ画像の受け入れ可能性は、受け入れ不可能、一般的又は受け入れ可能として前記ビデオ画像のコンテンツを分類することを含む受け入れ可能性のランキングにより特徴付けされる、
請求項１記載の方法。
【請求項１６】
前記定義されたローカルユーザの許可は、誰がビデオ画像を視聴することが許可されるか、記録されたビデオ画像を何回視聴することができるか、又は記録されたビデオ画像を前記リモートビューイングクライアントでどの位長く保持することができるか、に関する制限を含む、
請求項１記載の方法。
【請求項１７】
前記ビデオ通信クライアントは、進行しているアクティビティのビデオ画像又は記録されたビデオ画像のいずれかが視聴のために利用可能であることを示す警告を前記リモートビューイングクライアントに提供する、
請求項１記載の方法。
【請求項１８】
前記記録されたビデオ画像は、人の存在又は１８〜２０のアイデンティティ、動物の存在又はアイデンティティ、アクティビティのタイプ、を含む様々な基準に関して特徴付けされる、
請求項１記載の方法。
【請求項１９】
前記識別されたアクティビティの分析は、顔の検出、目の検出、体形の検出、皮膚の色の分析、又はこれらの組み合わせを含む、
請求項１記載の方法。
【請求項２０】
前記ビデオ通信クライアント及び前記リモートビューイングクライアントは、リモートユーザの好み又はローカルユーザの好みを定義するユーザインタフェースを提供し、前記ユーザの好みは、ビデオの視聴、送信、記録又はプライバシーの好みを含む、
請求項１記載の方法。
【請求項２１】
１以上のビデオ通信のイベントから受け入れ可能なビデオ画像についてアクティビティの時間記録が決定され、
前記アクティビティの時間記録は、前記ビデオ通信クライアント又はリモートビューイングクライアントの何れかのユーザインタフェースで提供される、
請求項２０記載の方法。
【請求項２２】
進行しているアクティビティのビデオ画像は、前記ビデオ通信クライアントに関連するメモリに記録される、
請求項１記載の方法。
【請求項２３】
前記記録されたビデオ画像は、前記リモートビューイングクライアントに関連するメモリに記録される、
請求項１記載の方法。
【請求項２４】
前記ビデオ通信クライアントは、複数のリモートビューイングクライアントに通信ネットワークにより接続され、
進行しているアクティビティのビデオ画像又は記録されたビデオ画像の何れかは、所与のリモートビューイングクライアントが参加しているか又は離脱しているかに応じて、前記リモートビューイングクライアントに送信される、
請求項１記載の方法。
【請求項２５】
ローカルユーザの許可は、それぞれのリモートビューイングクライアントについて定義される、
請求項２４記載の方法。
【請求項２６】
前記ビデオ通信クライアントは、１以上の環境センサを更に含み、
前記１以上の環境センサのうちの１つは、動き検出器、光検出器、赤外線感知カメラ、生体電気検出センサ、近接センサ、又はマイクロフォンである、
請求項１記載の方法。
【請求項２７】
ローカル環境のビデオ画像を捕捉するビデオ捕捉装置を含むローカルビデオ通信クライアントと、
通信ネットワークにより前記ローカルビデオ通信クライアントをリモートビューイング環境におけるリモートビューイングクライアントと結合するネットワークインタフェースと、
前記ビデオ通信クライアントを制御するコンピュータと、
前記コンピュータに接続されるメモリシステムであって、前記コンピュータに、リモートビューイング環境におけるリモートビューイングクライアントに通信ネットワークにより接続されたローカル環境におけるローカルビデオ通信クライアントであって、ビデオ捕捉装置とビデオ分析コンポーネントを有するコンピュータとを含むビデオ通信クライアントを含むビデオ通信システムを動作させ、通信イベントの間に前記ビデオ捕捉装置を使用して前記ローカル環境のビデオ画像を捕捉させ、捕捉されたビデオ画像を前記ビデオ分析コンポーネントにより分析して、前記ローカル環境において進行しているアクティビティを識別させ、前記リモートビューイングクライアントに関連する好みと前記ローカルビデオ通信クライアントに関連する許可に基づいて、識別されたアクティビティの捕捉されたビデオ画像が受け入れ可能なビデオ画像であるかを判定させ、前記リモートビューイングクライアントが参加しているか又は離脱しているかの示唆を受信させ、前記リモートビューイングクライアントが参加していることの示唆に応答して、進行しているアクティビティの受け入れ可能なビデオ画像を前記リモートビューイングクライアントに送信させ、前記リモートビューイングクライアントが離脱していることの示唆に応答して、前記受け入れ可能なビデオ画像をメモリシステムに記録させる、命令を記憶するメモリシステムと、
を備えるビデオ通信システム。
【請求項２８】
前記ビデオ通信クライアントは、１以上の環境センサを更に含み、
前記１以上の環境センサのうちの１つは、動き検出器、光検出器、赤外線検出器、生体電気検出センサ、近接センサ又はマイクロフォンである、
請求項２７記載のシステム。
【請求項２９】
ビデオ捕捉装置は、前記捕捉されたビデオ画像の視野を変更するために制御可能なパン、チルト、又はズーム機能を有する、
請求項２７記載のシステム。
【請求項３０】
リモートビューイング環境におけるリモートビューイングクライアントに通信ネットワークにより接続されるローカル環境におけるローカルビデオ通信クライアントを有するビデオ通信システムを動作させるステップであって、前記ローカルビデオ通信クライアントは、ビデオ捕捉装置とビデオ分析コンポーネントを有するコンピュータとを有する、ステップと、
通信イベントの間に前記ビデオ捕捉装置を使用して前記ローカル環境のビデオ画像を捕捉するステップと、
捕捉されたビデオ画像を前記ビデオ分析コンポーネントにより分析して、前記ローカル環境において進行しているアクティビティを識別するステップと、
前記リモートビューイングクライアントに関連する好みと前記ローカルビデオ通信クライアントとに関連する許可に基づいて、識別されたアクティビティの捕捉されたビデオ画像が受け入れ可能なビデオ画像であるかを判定するステップと、
前記リモートビューイングクライアントが参加しているか又は離脱しているかの示唆を受信するステップと、
前記リモートビューイングクライアントが参加していることの示唆に応答して、進行しているアクティビティの受け入れ可能なビデオ画像を前記リモートビューイングクライアントに送信するステップと、
前記リモートビューイングクライアントが離脱していることの示唆に応答して、前記受け入れ可能なビデオ画像をメモリに記録するステップと、
を含む方法をプロセッサに実行させるための命令を記憶したコンピュータ読み取り可能な記録媒体。